(57)【要約】【目的】戸外工作物の壁面の汚れを短時間且つ低コストで除去できる戸外の壁面の洗浄方法、及び、建物の壁面などの戸外の壁面の汚れ除去を行なうだけでなく、多孔質の戸外壁面に例えば殺菌、消臭、芳香などの機能を付加するなどの付加価値を付けることができる方法を提供する。【構成】所定量の水を、対象となる壁面から約０．５〜約５ｍ離れた位置から、約６０気圧〜約１４０気圧までの高圧で、前記壁面に向けて放出することにより、前記壁面表面の汚れを除去することを特徴としている。また、機能性微粒子を混入した所定量の水を、対象となる壁面から約０．５〜約５ｍ離れた位置から、約６０〜約１４０気圧の高圧で、前記壁面に向けて放出することにより、前記多孔質壁面の多数の孔の内部に前記微粒子を挿入させることを特徴としている。【選択図】　　図１
2004019241.tif 000002
【特許請求の範囲】
【請求項１】
戸外の壁面を洗浄する方法であって、
所定量の水を、対象となる壁面から約０．５〜５ｍ離れた位置から、約６０〜１４０気圧の高圧で、前記壁面に向けて放出することにより、前記壁面表面の汚れを除去するようにした、ことを特徴とする戸外の壁面の洗浄方法。
【請求項２】
請求項１において、前記水の中に、前記壁面表面の汚れを構成する有機物の肥料化を促進する物質を混入させたことを特徴とする戸外の壁面の洗浄方法。
【請求項３】
請求項１において、前記水の中に、前記壁面表面の汚れを構成する有機物の分解・清浄化を促進する物質を混入させたことを特徴とする戸外の壁面の洗浄方法。
【請求項４】
請求項２又は３において、さらに、前記壁面に向けて、ワックス成分を含む所定量の水を、対象となる壁面から約０．５〜５ｍ離れた位置から、約６０〜１４０気圧の高圧で、前記壁面に向けて放出することにより、前記壁面にワックス効果を生じさせるようにした、ことを特徴とする戸外の壁面の洗浄方法。
【請求項５】
戸外の多孔質の壁面内部に機能性微粒子を入り込ませるための方法であって、
機能性微粒子を混入した所定量の水を、対象となる壁面から約０．５〜５ｍ離れた位置から、約６０〜１４０気圧の高圧で、前記壁面に向けて放出することにより、前記多孔質壁面の多数の孔の内部に前記微粒子を入り込ませるようにした、ことを特徴とする戸外の多孔質の壁面内部に機能性微粒子を入り込ませるための方法。
【請求項６】
請求項５において、前記機能性微粒子は、殺菌、消臭、又は芳香の機能を有するものである、ことを特徴とする戸外の多孔質の壁面内部に機能性微粒子を入り込ませるための方法。
【発明の詳細な説明】
【０００１】
【発明の属する技術分野】
本発明は、川や湖の護岸用工作物の外壁面、道路や建物の基礎工作物の外壁面、トンネルの内壁面、地上の建物の外壁面などの戸外工作物の壁面を洗浄するための戸外の壁面の洗浄方法、及び、前記戸外工作物の壁面であってコンクリートやセラミックや自然石などの素材で形成された戸外の多孔質の壁面内部に殺菌、消臭、又は芳香などの機能を有する機能性微粒子を入り込ませるための方法に関する。
【０００２】
【従来の技術】
従来より、川や湖の護岸用工作物、道路や建物の基礎工作物、トンネル内壁、地上建物などの戸外工作物の壁面（斜面状のコンクリート壁、コンクリートブロック、石垣などで形成されている）には、設置からの年月が経過するに従って、カビや苔などを含む汚れが強固に付着してしまうのが通常である。このような戸外の壁面の汚れは、通常の洗浄方法では除去することができなかった。また、例えば人手で壁面表面を擦るなどの熟練を要する特殊な方法によれば前記汚れの除去も可能であるが、高コストとなるため、汚れたまま放置しているというのが現状である。
【０００３】
【発明が解決しようとする課題】
しかしながら、前記のような戸外壁面の汚れをコストなどの問題からそのまま放置しておくことは、美観上も衛生上も好ましくないことはもちろん、表面に放置された汚れが更に他のカビや苔の温床となって次々と汚れを堆積させてしまうという問題があった。
【０００４】
また、従来は、前述のような高コストの方法を使用すれば戸外の壁面の汚れ除去を行なうことができるとしても、それ以上の付加価値、例えば、戸外の壁面に殺菌、消臭、芳香などの効果を付加するなどの付加価値を付けることができないという問題があった。
【０００５】
本発明はこのような従来技術の問題点に着目してなされたものであって、戸外工作物の壁面の汚れを熟練を必要とすることなく短時間に且つ低コストで除去できる、戸外の壁面の洗浄方法を提供することを目的とするものである。
【０００６】
また、本発明は、建物の壁面などの戸外の壁面の汚れ除去を行なうだけでなく、多孔質の戸外壁面に例えば殺菌、消臭、芳香などの効果を長期間付加することができる、多孔質の戸外の壁面内部への機能性微粒子の挿入方法を提供することを目的とするものである。
【０００７】
【課題を解決するための手段】
このような従来技術の課題を解決するための本発明による戸外の壁面の洗浄方法は、所定量の水を、対象となる壁面から約０．５〜約５ｍ（より望ましくは、約０．５〜約１．５ｍ）離れた位置から、約６０気圧〜約１４０気圧までの高圧で、戸外の壁面に向けて放出することにより、前記壁面表面の汚れを除去するようにしたものである。
【０００８】
また、本発明の戸外の壁面の洗浄方法においては、前記水の中に、前記壁面表面の汚れを構成する有機物の肥料化を促進する物質又は前記有機物の分解・清浄化を促進する物質を混入させることが望ましい。
【０００９】
また、本発明の戸外壁面の洗浄方法においては、戸外の壁面に向けて、ワックス成分を含む所定量の水を、対象となる壁面から約０．５〜約５ｍ（より望ましくは、約０．５〜約１．５ｍ）離れた位置から、約６０気圧〜約１４０気圧の高圧で、前記壁面に向けて放出することにより、前記壁面にワックス効果を生じさせるようにすることが望ましい。
【００１０】
また、本発明の戸外の多孔質の壁面内部に機能性微粒子を挿入するための方法は、機能性微粒子を混入した所定量の水を、対象となる戸外の壁面から約０．５〜約５ｍ（より望ましくは、約０．５〜約１．５ｍ）離れた位置から、約６０〜約１４０気圧の高圧で、前記壁面に向けて放出することにより、前記多孔質壁面の多数の孔の内部に前記微粒子を深く入り込ませるようにしたものである。
【００１１】
さらに、本発明の戸外の多孔質の壁面内部に機能性微粒子を入り込ませるための方法においては、前記機能性微粒子は、殺菌、消臭、又は芳香の機能を有するものであることが望ましい。
【００１２】
【発明の実施の形態】
実施形態１．　図１は本実施形態１による戸外の壁面の洗浄方法の実施のために使用する洗浄装置の一例を示す概略ブロック図である。図１において、１は戸外壁面の洗浄に必要な水を収容しておくためのタンク、２はこのタンク２内の水を所定の高圧（例えば、約６０〜１４０気圧）で外部に放出するための放水部、３は前記タンク１内の水を高圧で前記放水部２に送るための電動ポンプである。前記放水部２の先端部には、前記電動ポンプ３から所定圧力で送られてきた水を多数の小さな穴からシャワー状に噴出させるための放水ノズルが備えられている。
【００１３】
本実施形態１では、図１のタンク１及びポンプ３は例えば自動車に搭載され、放水部２は作業者が手に持って使用する。図２はこの図１の洗浄装置を使用して例えば道路基礎の斜面状のコンクリート・ブロックを洗浄する場合の動作を示す斜視図である。図２において、１０は道路基礎を構成するコンクリート・ブロック製の斜面状の壁面、２ａは前記放水部２の先端に備えられた放水ノズル、１１は前記放水ノズル２ａから所定の高圧で噴出される高圧洗浄水である。
【００１４】
本実施形態１では、作業者は、洗浄対象となる壁面１０に付着した汚れの量、洗浄対象となる壁面１０の面積、壁面１０と放水ノズル２ａとの間の距離（例えば約０．５〜約５ｍ、より望ましくは、約０．５〜約１．５ｍ）などに基づいて、電動ポンプ３の操作盤（図示せず）で例えば約６０〜１４０気圧の中から任意の圧力を選択して、その選択した圧力で前記放水ノズル２ａから、前記壁面１０に向けて高圧洗浄水１１を噴出させる。
【００１５】
このように高圧洗浄水１１を対象の壁面１０に放出すると、壁面１０に付着していた汚れは、短時間内に除去されて壁面が設置当時の色合いに戻る。前記の除去された汚れは、前記高圧洗浄水１１と一緒に土壌中に染み込むが、前記高圧洗浄水１１は通常の水であり、前記壁面１０の汚れもカビや苔などの天然の有機物が主体であるから、これらが土壌中に染み込んでも特に公害などの問題が生じることはない。
【００１６】
以上のように、本実施形態１では、高圧のシャワー状の水流を、対象の戸外壁面に向けて噴出させるようにしているので、短時間内に低コストで壁面の汚れを除去することができるようになる。しかも、前述のように、作業者は単に、前記放水ノズル２ａを持って対象壁面に放水するだけなので、特別な熟練は全く必要としない。さらに、通常の水を使用しているので、化学薬品などを使用する場合と異なり公害などの問題も有効に回避することができる。
【００１７】
なお、本実施形態１においては、場合により、前記タンク１内の水の中に、前記壁面１０の汚れを構成する有機物の肥料化又は分解・清浄化を促進する物質を混入させるようにしている。これにより、例えば、野菜畑の上側に建設された道路基礎の斜面状の壁面を洗浄する場合は、前記物質を前記タンク１内の水に混入させた上で前記放水ノズル２ａから高圧洗浄水を噴出させて洗浄し、前記物質を含む洗浄水が前記汚れと一緒に前記道路基礎の下側の野菜畑の土壌中に染み込むようにすることができるので、前記汚れが速やかに肥料化されて前記野菜畑の野菜などの栄養となってくれたり、前記汚れが迅速に分解・清浄化されるようになる。なお、前記の「壁面１０の汚れを構成する有機物の肥料化を促進する物質又は前記有機物の分解・清浄化を促進する物質」としては、例えば、生ゴミなどを発酵・分解させて肥料化させる機能を有する公知の微生物を担持・展着させたセラミック微粒子、又は、アンモニアや亜硝酸を分解する機能を有する光合成細菌やロドコッカス属細菌、タンパク質分解酵素を産出する機能を有するバチルス属細菌などを担持・展着させたセラミック微粒子、などを使用することが可能である。
【００１８】
また、本実施形態１においては、場合により、前記タンク１内の水の中に、水溶性のワックスを混入させるようにしている。これにより、例えば、建物などの外壁の汚れを前記高圧洗浄水で洗浄しながら、同時に、前記建物外壁面にワックス効果を与えることができるようになる。なお、本発明においては、前述のように予め前記タンク１内にワックスを混入させておいて、建物外壁などの壁面に高圧洗浄水を吹き掛けることにより、前記壁面の洗浄と前記壁面へのワックス効果の付与とを同時に行なうという方法だけでなく、まずワックスを含まない水をタンク１内に入れておき、この水を高圧洗浄水にして前記壁面を洗浄し、この洗浄が終了した後に、前記タンク１内に水溶性ワックスを混入させて、このワックスを含む水を前記壁面に高圧で吹き掛けることにより前記壁面にワックス効果を及ぼすようにしてもよい。
【００１９】
また、前記の本実施形態１では、図１に示すような電動ポンプ３を使用して高圧洗浄水を噴出する装置を使用しているが、本発明では、これ以外に、例えば図３に示すような蓄積式の高圧洗浄水を供給する装置を使用するようにしてもよい。すなわち、図３に示すように、足踏み式又はコンプレッサ式の空気導入部４により、水を予め収容した密閉式タンク５内に高圧空気を入れ、その高圧空気の圧力により、前記密閉式タンク５からの高圧洗浄水を放水部６から噴出させる装置を使用してもよい。
【００２０】
実施形態２．　次に図４は本発明の実施形態２による高圧水流を使用して機能性微粒子を戸外の多孔質壁面の内部、例えばコンクリート・ブロック壁面の内部に入り込ませるための方法を説明するための図である。この本実施形態２においても、前記の実施形態１で使用した高圧水流供給装置（図１又は図３参照）を使用する（以下では、便宜上、図１の装置を前提に説明するが、図３の装置も使用可能である）。
【００２１】
本実施形態２では、図１の装置のタンク１内に水を収容しておくと共に、前記水の中に殺菌、消臭、又は／及び芳香の作用を有する多数の微粒子を混入させておく。
【００２２】
前記の殺菌作用を有する微粒子としては、例えば、銀イオンを担持させたゼオライト微粒子、光半導体粉末（ＴｉＯ２、ＣｄＳ、ＣｄＳｅ、ＷＯ３、Ｆｅ２Ｏ３、ＳｒＴｉＯ３、又はＫＮｂＯ３）と金属粉末（例えば、金、銀、白金、又は銅）との組み合わせから成る光触媒の微粒子、クロラミンＢ微粒子、ニトロフラゾン微粒子、塩化ベンザルコニウム微粒子、エチレンパーオキサイド微粒子などが挙げられる。また、消臭作用を有する微粒子としては、例えば、木炭・竹炭の微粒子などが挙げられる。また、芳香作用を有する微粒子としては、例えば、メントール等のハーブ剤の微粒子、フィトンチット等の植物性香料の微粒子などが挙げられる。
【００２３】
そして、前述のような機能性微粒子を混入した水を、図１の装置を使用して、例えば約６０〜１４０気圧の高圧で、約０．５〜５ｍ（より望ましくは、約０．５〜１．５ｍ）の距離から、対象となる戸外の壁面に向けて、シャワー状に噴出させる。すると、前記高圧水流に含まれる微粒子は、前記高圧水流と共にコンクリート・ブロック１０に強く吹き付けられる。その結果、図４に示すように、前記微粒子１２は、コンクリート・ブロック壁面１０の内部（多数の微小な穴１０ａの中）に挿入されその中に載置されるようになる。
【００２４】
前記の殺菌・消臭・芳香などの作用を有する微粒子をコンクリート・ブロック１０の表面に単に付着させるだけでは、短期間内に風雨などで前記微粒子が剥離されてしまい、前記の殺菌などの作用も消失してしまう。これに対して、本実施形態２では、前述のように、前記微粒子がコンクリート・ブロック１０の内部（多数の微小な穴１０ａの中）に入り込むようになるので、風雨などでは容易に剥離されることがなく、長期間継続して存在するので、前記微粒子による殺菌などの作用も長期間継続するようになる。
【００２５】
以上のように、本実施形態２では、高圧水流の中に殺菌、消臭、芳香などの作用を有する微粒子を含ませて、対象となる戸外の多孔質壁面に噴出するようにしているので、前記微粒子が前記多孔質壁面の内部（多数の微小な穴の中）に入り込むようになり、前記微粒子による殺菌、消臭、芳香などの効果が長期間継して発揮されるようになる。
【００２６】
なお、本実施形態２においては、予め前記タンク１内に殺菌、消臭、芳香などの機能を有する微粒子を混入させておいて、建物外壁などの壁面に高圧洗浄水を吹き掛けることにより、前記壁面の洗浄と前記壁面内部への前記微粒子の挿入とを同時に行なう方法と、まず殺菌、消臭、芳香などの機能を有する微粒子を含まない水をタンク１内に入れておき、この水を高圧洗浄水にして前記壁面を洗浄し、この洗浄が終了した後に、前記タンク１内に殺菌、消臭、芳香などの機能を有する微粒子を混入させて、前記微粒子を含む水を前記壁面に高圧で吹き掛けることにより前記壁面に前記微粒子を入り込ませるという方法とのいずれの方法を採用するようにしてもよい。
【００２７】
また、前記の実施形態１又は２では、いずれも、放水部２，６からシャワー状の高圧水流を噴出させるようにしているが、本発明ではこれに限られることなく、ストレートの高圧水流を噴出させるようにしてもよい。
【００２８】
【発明の効果】
以上に説明したように、本発明の戸外壁面洗浄方法によれば、高圧の水流を対象の戸外壁面に向けて噴出させて前記壁面の汚れを除去するようにしているので、短時間内に低コストで壁面を洗浄することが可能になる。しかも、本発明の方法によれば、作業者は単に、放水ノズルを持って対象壁面に高圧水流を放水するだけなので、特別な熟練は全く必要としない。さらに、本発明の方法では通常の水を使用している（洗浄剤などの化学薬品を使用していない）だけなので、化学薬品などを使用する場合と異なり公害などの問題を引き起こす恐れがない。
【００２９】
また、本発明では、前記水の中に、前記壁面表面の汚れを構成する有機物の肥料化を促進する物質を混入させるようにしたときは、前記壁面の汚れの清掃だけでなく、前記汚れを清掃した後の前記汚れを含む水の中の有機物を早期に肥料化できる。したがって、本発明によれば、前記水で前記壁面表面の汚れを洗浄した後に、前記の洗浄に使用した前記汚れを含む水が畑などの大地に浸透する場合に、前記水が畑などの大地内で早期に肥料化されるので、畑などで栽培される植物の生育の促進に役立てることができる。
【００３０】
また、本発明では、前記水の中に、前記壁面表面の汚れを構成する有機物の分解・清浄化を促進する物質を混入させるようにしたときは、前記壁面の汚れの清掃だけでなく、前記汚れを清掃した後の前記汚れを含む水の中の有機物を早期に分解・清浄化できる。したがって、本発明によれば、前記水で前記壁面表面の汚れを洗浄した後に、前記の洗浄に使用した前記汚れを含む水がアスファルト道路などのような水が浸透しない場所に留まる場合でも、前記水の汚れ成分（有機物）が早期に分解・清浄化されるので、アスファルト道路などが汚れることを防止することができる。
【００３１】
さらに、本発明の機能性微粒子を戸外の多孔質壁面内部に挿入させる方法によれば、殺菌、消臭、芳香などの作用を有する微粒子を含む高圧水流を戸外の多孔質壁面に噴出して前記微粒子が前記多孔質壁面の内部（多数の微小な穴の中）に入り込ませるようにしているので、前記微粒子による前記壁面の殺菌、消臭、芳香などの効果を、長期間継続して発揮させることができる。
【図面の簡単な説明】
【図１】本発明の実施形態１のために使用する高圧水流供給装置を示すブロック図。
【図２】本実施形態１による戸外壁面洗浄方法の動作を説明するための図。
【図３】本実施形態１のために使用する他の高圧水流供給装置を示すブロック図。
【図４】本発明の実施形態２による戸外の多孔質壁面内部に殺菌、消臭、芳香など機能を有する微粒子を挿入する方法を説明するための図。
【符号の説明】
１　タンク
２，６　放水部
２ａ　放水ノズル
３　電動ポンプ
４　空気導入部
５　密閉式タンク
１０　コンクリート・ブロックの壁面
１０ａ　穴
１１　高圧洗浄水
１２　微粒子
【図１】
2004019241.tif 000003
【図２】
2004019241.tif 000004
【図３】
2004019241.tif 000005
【図４】
2004019241.tif 000006